(57)【要約】【課題】無意識の体の動きや風などによって本体が地面に落下せず、耳の奥に入っても簡単に取り出すことが可能であり、同時に耳の奥に入り込むことを防止し、子供でも継続的に着用が可能な、耳掛け部が付いた形状の耳孔に挿入着用して使用するマスク及び挿入体を提供する。【解決手段】環状または略環状の耳掛け部１から内側に向かって延長された延長部２の先端部に、耳孔のサイズに合わせて形成された外耳道への着用部３を有して不織布４で一体的に形成されており、外耳道に着用または挿入して使用する、落ちない耳かけ部を有する耳用のマスク及び挿入体であることを特徴とする。【選択図】図１
2018083027.tif 000002
【特許請求の範囲】
【請求項１】
環状または略環状の耳掛け部から延長された延長部に、耳孔のサイズに合わせて成形された外耳道への着用部を有することを特徴とする、耳掛け部付きの耳に入れて使用するマスク及び挿入体。
【請求項２】
環状または略環状の耳掛け部、延長部、耳孔のサイズに合わせて成形された外耳道への着用部、のいずれか又は全部が不織布であることを特徴とする、請求項１に記載の、耳掛け部付きの耳に入れて使用するマスク及び挿入体。
【請求項３】
環状または略環状の耳掛け部、延長部、耳孔のサイズに合わせて成形された外耳道への着用部、のいずれか又は全部が伸縮性を有する材料で構成されていることを特徴とする、請求項１または２のいずれかに記載の、耳掛け部付きの耳に入れて使用するマスク及び挿入体。
【請求項４】
環状または略環状の耳掛け部、延長部、耳孔のサイズに合わせて成形された外耳道への着用部が、単一のシート材から一体的に成形されていることを特徴とする、請求項１〜３のいずれかに記載の、耳掛け部付きの耳に入れて使用するマスク及び挿入体。
【請求項５】
耳孔のサイズに合わせて成形された外耳道への着用部に、切り込みが設けられていることを特徴とする、請求項１〜４のいずれかに記載の、耳掛け部付きの耳に入れて使用するマスク及び挿入体。
【請求項６】
耳孔のサイズに合わせて成形された外耳道への着用部が、立体的または棒状に成形されていることを特徴とする、請求項１〜５のいずれかに記載の、耳掛け部付きの耳に入れて使用するマスク及び挿入体。
【請求項７】
耳孔のサイズに合わせて成形した外耳道への着用部が、綿またはガーゼであることを特徴とする、請求項１〜６のいずれかに記載の、耳掛け部付きの耳に入れて使用するマスク及び挿入体。
【請求項８】
耳孔のサイズに合わせて成形した外耳道への着用部に、吸収体及び吸水性高分子を有することを特徴とする、請求項１〜７のいずれかに記載の、耳掛け部付きの耳に入れて使用するマスク及び挿入体。
【請求項９】
耳孔のサイズに合わせて成形した外耳道への着用部に、薬剤又は化粧料が塗布されているか含んでいることを特徴とする、請求項１〜８のいずれかに記載の、耳掛け部付きの耳に入れて使用するマスク及び挿入体。
【請求項１０】
耳孔のサイズに合わせて成形した外耳道への着用部に、発熱機能を有していることを特徴とする、請求項１〜９のいずれかに記載の、耳掛け部付きの耳に入れて使用するマスク及び挿入体。
【請求項１１】
切り込み線と開口部を有したシート材を開口することで、環状または略環状の耳掛け部から延長された延長部に、耳孔のサイズに合わせて成形された外耳道への着用部を有する形態になることを特徴とする、請求項１〜１０のいずれかに記載の、耳掛け部付きの耳に入れて使用するマスク及び挿入体。
【請求項１２】
耳掛け部、延長部、耳孔のサイズに合わせた外耳道への着用部が、未使用時には平面状に形成されていることを特徴とする、請求項１〜１１のいずれかに記載の、耳掛け部付きの耳に入れて使用するマスク及び挿入体。
【発明の詳細な説明】
【技術分野】
【０００１】
この発明は外耳道に着用する耳孔用のマスクまたはカバーに係り、特に環状部の耳掛け部を耳に掛けて固定し、延長部の先端に設けられた耳孔用のマスク及び挿入体を外耳道に着用する、耳掛け部付きの耳用マスク及び挿入体に関する。
【背景技術】
【０００２】
従来、１回の使用ないし数回使用を目的にした使い捨てタイプまたは繰り返し使用可能なタイプの不織布や脱脂綿等で形成した、外耳道に挿入または着用する耳用のマスク及び挿入体においては、軽いために体の動きや風等で外れてしまう事があった。
また、安価に製造でき、使い捨て可能なタイプで、耳用のマスク及び挿入体の本体が外れにくくするための有効な形状と材料の組み合わせが無かった。
【先行技術文献】
【非特許文献】
【０００３】
【非特許文献１】特願２０１５−１１９７５７
【発明の概要】
【発明が解決しようとする課題】
【０００４】
１回の使用ないし数回使用を目的にした使い捨てタイプまたは繰り返し使用可能なタイプの不織布及び綿等で形成された、外耳道に挿入または着用する耳用のマスク及び挿入体においては、それぞれ次のような欠点があった。
軽量なために体の動きや風等で外れてしまう事があった。
外れる事で地面等に落ちれば使用不可能になり新しい物を取り出して装着しなければならなかった。
外耳道の奥深くに入ってしまうとつまみを含めて取り出せなくなる危険があり、装着時における外見上の問題があった。
不織布等の使い捨て可能な材料で安価に製造でき、脱落を防止し、外耳道に挿入して取り出せなくなる可能性を完全に排除するための有効な形状と材料の組み合わせが無かった。
外耳炎等の疾患時に薬剤を塗布したガーゼや綿棒を外耳内に入れて薬剤を塗る方法はあったが、薬剤を塗布した綿や布・スポンジ等を継続的に着用し外耳道内に挿入し留めておくための形状や、使い捨てタイプでの形態、綿などが外耳道の奥に入り込んでも取り出せる安全な方法が無かった。
本発明はこのような点に鑑みて創案されたものであり、不織布等で作られた外耳道に挿入する耳用のマスク及び挿入体が、無意識に顔や耳に触れる動作や体の動き、風等によって外れて落下する事及び耳の奥から取り出せなくなることを防止することを目的とする。
子供でも継続的に安全に着用が可能で確実に取り外しができる、外耳道に着用する耳用マスク及び挿入体を作成するのに有効な技術を提供する。
【課題を解決するための手段】
【０００５】
上記課題を達成するため、各請求項に記載の発明が構成される。
【０００６】
本発明の耳掛け部の付いた耳用マスク及び挿入体は、１回の使用または数回使用を目的とした使い捨ての一体型のタイプであってもよいし、洗濯等を行うことによって繰り返し使用可能なタイプであってもよい。
【０００７】
本発明は、耳掛け部である環状部または略環状部から内側に延長された延長部の先端に、耳孔のサイズに合わせた外耳道への着用部を有し、不織布及び伸縮性を有するシートで形成された、耳掛け部付きの耳用マスク及び外耳道への挿入体を提供するものである。
【発明の効果】
【０００８】
本発明によれば、伸縮性を有する環状の耳掛け部により耳に固定でき、伸びるシート材で成形した延長部により長さを調節できる。
外耳道への着用部について。
マスクの場合は切り込みを有し伸びるシート材で成形しており、指で耳孔にフィットさせることができる。挿入体の場合は外耳道に合わせた棒状に成形されており外れにくい。
以上により、耳孔用のマスク及び挿入体は耳掛け部その他により固定され体の動きや風などで地面などに落ちることが無くなった。
延長部を取り出し用つまみとして使用することで、外耳道の奥に入った耳孔用マスク及び挿入体を確実に取り出すことが可能になって安全性が向上した。また延長部と耳掛け部がつながっていることで、耳孔用マスク及び挿入体が外耳道の奥に入ってしまうことを防止している。
外耳炎などの外耳疾患に罹った場合に、従来は綿棒などにより一日に数回薬剤を外耳内に塗らなければならなかったが、薬剤を含ませた耳孔用マスク及び挿入体を継続的に挿入着用することができるようになり、一日に何回も薬剤の塗りなおしをせずにすむようになった。
外耳疾患などにより外耳道から液体が出ている場合には、不織布または棒状にした綿やガーゼなどの耳孔用マスク及び挿入体を落下させることなく挿入着用できて継続的に液体を吸収させることが可能である。
不織布及び伸縮性を有するシート材、単一のシート材などにより形成されており、従来の口鼻用マスクと同様の製造技術と材料で安価に作成可能である。
【図面の簡単な説明】
【０００９】
【図１】本発明にかかる耳掛け部付きの耳孔用マスク及び挿入体の左側用を非着用面から見た平面図である。
【図２】図１の構造の一部変更例を示す、左側の非着用面から見た平面図である。
【図３】図１の構造の一部変更例を示す、左側の非着用面から見た平面図である。
【図４】図１の構造の一部変更例を示す、左側の非着用面から見た平面図である。
【図５】図５の(a)ないし(b)は、図４の一部構造の別の実施形態を示す一部断面図である。
【図６】図１の構造の一部変更例を示す、左側の非着用面から見た平面図である。
【図７】図１の構造の一部変更例を示す、左側の非着用面から見た平面図である。
【図８】図８の(a)ないし(b)は、一部構造の別の実施形態を示す一部断面図である。
【図９】図９の(a)ないし(b)は、図８の一部構造の実施形態を示す一部断面図である。
【図１０】図１の構造の一部変更例を示す、左側の非着用面から見た平面図である。
【図１１】図１の構造の一部変更例を示す、左側の非着用面から見た平面図である。
【図１２】図１の構造の一部変更例を示す、左側の非着用面から見た平面図である。
【図１３】図１の構造の一部変更例を示す、左側の非着用面から見た平面図である。
【図１４】本発明にかかる耳掛け部付きの耳孔用マスク及び挿入体が着用されたときの状態を表す模式図。
【発明を実施するための形態】
【００１０】
以下本発明の実施の形態について、図を参照しながら説明する。
【００１１】
図１は基本的な実施の形態を示した図である。
環状の耳掛け部１から内側に延長された延長部２の先端に、円形の外耳道着用部３を有している。
不織布４で一枚のシート材から成形されている。
【００１２】
一枚のシート材で形成する場合においては、柔らかい伸縮性を有するポリウレタンやポリオレフィンなどが好適である。これにより耳掛け部１は伸縮性により耳にフィットし、延長部２は伸ばすことで長さを調節でき、外耳道着用部３は柔らかさと伸縮性により指で外耳道の形状に合わせてフィットさせることが可能である。
材料は伸縮性を有する物、不織布などが考えられる。
【００１３】
一枚のシート材で形成しない場合は、耳掛け部１は伸縮性または弾性を有する材料、延長部２は伸びる性質を要する材料、外耳道着用部３は形状を変形させやすい材料などが好適である。
種々の材料や接合の組み合わせが可能である。
【００１４】
図２は図１の別の実施形態を示す図である。
耳掛け部１、延長部２、外耳道着用部３が伸縮性を有する伸縮性素材５の一枚のシートにより成形されており、外耳道着用部３の外周に放射線状の切り込み部６を有している。
切り込み部６により外耳道着用部３が隙間をふさぎ、柔らかい伸縮性素材５と組み合わさって外耳道にフィットする。
【００１５】
図３は図１の別の実施形態を示す図である。
楕円形の単一シート材９に、開口させるための切り込み線７を有している。開口部８を開口することにより、環状または略環状の耳掛け部１とそこから延長された延長部２、延長部２の先端に成形された外耳道着用部３が出現する形態である。
開口した箇所の中に耳を入れて着用する方式である。
【００１６】
図４は図１の別の実施形態を示す図である。
一枚のシートで伸縮性素材５でもある不織布４から、耳掛け部１、延長部２、延長部２の先端が形成されている。延長部２の先端が接合部１２により棒状部１０である外耳道着用部３に接合されている。
立体的に成形された棒状部１０は、中空であっても中空でなくてもよい。ここでは綿１１を使用しているが脱脂綿やガーゼが好ましく、不織布他の材料でもよい。
【００１７】
図５の（a）ないし（b）は図４の棒状部１０の一例を示す一部断面図である。
（a）は綿１１を棒状部１０の断面が年輪形になるように１枚づつ複数枚巻いて形成されている。脱脂綿を棒状にして、フィブリル化セルロースを噴霧した方式である。
（b）は不織布４を棒状部１０の断面が渦巻形になるように１枚で巻いて形成されている。
いずれも、材料は綿、不織布に限らずにどのような材料を用いてもよい。
【００１８】
図６は図１の別の実施形態を示す図である。
一枚の単一シート材９で平面状に形成された耳掛け部１、延長部２、外耳道着用部３を有する。外耳道着用部は長尺になっており吸水性高分子を有している。
これにより外耳炎等の疾患時に外耳から出てくる液体を吸収できる。また逆に水を含ませた後に外耳内の温度を若干冷やすことが可能である。
吸水性高分子は、吸水性ポリマー、高分子吸収体などの種々の吸収体を有することができる。
【００１９】
図７は図１の別の実施形態を示す図である。
単一シート材９で一体的に成形された耳掛け部１、延長部２、長尺の外耳道着用部３を有し、外耳着用部３に薬剤が塗布されている。
平面状の外耳着用部３をねじりながら使用する方式または、棒状に立体的に成形された方式でもよく、薬剤も外耳炎等の疾患時に使用される種々の薬剤を塗布可能である。薬剤の形態としては粉末状、ゼリー状、ジェル状、液体、クリーム状などが可能である。
薬剤を継続的に外耳道内に入れておくことが可能になり、綿棒などで一日に数回塗りなおす必要が無くなり就寝中にも着用できることで治癒が早まることが期待される。
薬剤を塗布していないこの形状の外耳道着用部３に、後から薬剤を塗布する方式でもよい。外耳道着用部３がいかなる形態や形状でもこの方式は可能である。
材料は綿、ガーゼ、不織布などでもよい。
【００２０】
図８は図１の別の実施形態を示す図である。
（a）は立体的に成形された外耳道着用部３の中空の内部に、発熱体１７を有している。これにより表面が発熱部となる。
（b）は平面的に成形された外耳道着用部３の着用面側シートと非着用面側シートの間に、発熱体１７を有している。これにより表面が発熱部となる。
構成材料は種々の発熱材料や蒸気温熱の発生可能な材料を用いることができ、発熱部の形状や大きさ個数、配置場所は具体的な用途に応じて適宜変更することができる。
【００２１】
図９の（a）ないし（b）は図８の外耳道着用部３の構造を示す一部断面図である。
（a）は立体的に成形された棒状の外耳道着用部３の中空の内部に発熱体１７を有している。
（b）は平面的に成形されたシート状の外耳道着用部３の着用面シート１８と非着用面シート１９に挟持された発熱体１７を有している。
（a）（b）共に、発熱体１７は被酸化性金属を含んでおり、この被酸化性金属が酸素と接触することによる酸化反応で生じた熱を利用して、所定温度に加熱されたり水蒸気を発生する。発熱体１７は、非酸化性金属、反応促進剤、電解質及び水を含む。そのような発熱体１７は例えば発熱シート又は発熱紛体からなる。そのような材料は、当該技術分野において公知である。
【００２２】
着用面シート１８は透湿性シートからなる。一方非着用面シート１９は透湿性シートであるか非透湿性シートである。非着用面シート１９が透湿性シートである場合、該透湿性シートの通気性は、着用面シート１８の通気性よりも低くなっている。着用面シート１８と非着用面シート１９の通気度を適切に調整することで、着用面シート１８の側から、所定温度に加熱された水蒸気（蒸気温熱）が発生し、それが着用者の外耳道に付与されるようになる。そのような通気度の調整の程度は、当該技術分野において公知である。
蒸気温熱が外耳道に付与されることで外耳道が温まり、血行がよくなることやリラックス効果が期待できる。また安定的に着用できる形状なので地面などに落下する心配がない。
【００２３】
図１０は図１の別の実施形態を示す図である。
ひも状弾性体１４の耳掛け部１に延長部２を接合し外耳道着用部３を設けている。延長部２と外耳道着用部３は単一シート材９で成形してもよいし、個別に形成した物を接合してもよい。
【００２４】
図１１は図１の別の実施形態を示す図である。
略環状でフック型の耳掛け部１がそのまま延長部２、外耳道着用部３に延伸している形態であり一体的に形成されている。
耳掛け部１は硬度と弾性のある材料が望ましく、ここではポリエチレンを使用している。この材料は紙、プラスチック、樹脂、不織布など種々の材料でよい。
ここでは外耳道着用部３は不織布４で形成されているが、綿やガーゼなどでもよい。
耳掛け部１と延長部２を紙軸として、外耳道着用部３を綿やガーゼにし、湾曲した綿棒のような形状で、軸が外耳道内に入らない形状で外耳道着用部３を接合してもよい。
【００２５】
図１２は図１の別の実施形態を示す図である。
耳掛け部１、延長部２、外耳道着用部３の形状を別のパターンにしたものである。耳掛け部１の形状は耳を入れることができればどのような形状でもよく、延長部２の形状も種々の形状が適用される。外耳道着用部３も大きさや形状、はいかなるものでもよい。
花形や多角形、変形した楕円形などが考えられる。
【００２６】
図１３は図１の別の実施形態を示す図である。
外耳道着用部３を有する延長部２が、耳掛け部１の外周から外側に向かって延長し折り返して耳孔に着用する方式の形状である。これにより長さを調節しやすくなっている。
ここでの材料は伸縮性素材５でもある不織布４で一枚のシート材から一体的に成形している。
【００２７】
図１４は本発明の基本的な構成である図１を着用したときの状態を表す模式図である。
耳掛け部１の孔に耳２０を通してから耳に掛けている。延長部２を伸ばし、外耳道着用部３を外耳道２１に挿入している。
【００２８】
耳掛け部１、延長部２、外耳道着用部３は、それぞれ平面状か立体型、切り込みの有無、積層の有無、粘着部の有無、直線と曲線、太さの太い細い、形状、伸縮性の有無、弾性の有無、一体的成形の有無、使用する材料、など種々の形態や組み合わせを用いることができる。
【００２９】
本発明に係る形成には以下の構成を用いることができる。
耳掛け部、延長部、外耳道着用部、耳孔用マスク、耳孔用挿入体、材料、切り込み部、切り込み線、シート材、棒状部、接合部、吸水性高分子、発熱体、薬剤としては種々の構成、材料、方法、組み合わせ、接合方法、を用いることができ、各部の形状、配置位置等、組み合わせは適宜変更可能である。
実施の形態で説明した各構成は、単独で用いることもできるし、適宜選択した複数の構成を組み合わせて用いることもできる。
【符号の説明】
【００３０】
１  耳掛け部
２  延長部
３  外耳道着用部
４  不織布
５  伸縮性素材
６  切り込み部
７  切り込み線
８  開口部
９  単一シート
10  棒状部
11  綿
12  接合部
13  吸水性高分子
14  ひも状弾性体
15  ポリエチレン
16  薬剤
17  発熱体
18  着用面シート
19  非着用面シート
２０  耳
２１  外耳道
【図１】
2018083027.tif 000003
【図２】
2018083027.tif 000004
【図３】
2018083027.tif 000005
【図４】
2018083027.tif 000006
【図５】
2018083027.tif 000007
【図６】
2018083027.tif 000008
【図７】
2018083027.tif 000009
【図８】
2018083027.tif 000010
【図９】
2018083027.tif 000011
【図１０】
2018083027.tif 000012
【図１１】
2018083027.tif 000013
【図１２】
2018083027.tif 000014
【図１３】
2018083027.tif 000015
【図１４】
2018083027.tif 000016